(57)【要約】【課題】、箱本体とホルダーが一体型で、ワンタッチで組み立てできる構造でありながら、蓋に連続する面又は蓋に連続する面に対向配置される面のいずれの面を使用上の正面（化粧面）とする場合でも、使用上の正面に箱本体の貼り合わせ位置が現れないようにする。【解決手段】この包装用箱Ｂは、天面に蓋で開閉される開口を有し、ガラス製の容器を収容する箱本体１と、箱本体１内に一体に形成され、各容器の周囲を保持するための仕切り２０を有するホルダー２とを備え、ホルダー２に図示の構成を採り、蓋板部１５が正面板部１又は背面板部１４のいずれかに連接して形成される。【選択図】図２
2015209221.tif 000002
【特許請求の範囲】
【請求項１】
天面に蓋で開閉される開口を有し、ガラス製のビンやボトルを含む容器を収容する箱本体と、前記箱本体内に一体に形成され、各容器の周囲を保持するための仕切りを有するホルダーとを備え、容器を前記箱本体内で前記ホルダーの仕切りにより保持して収容する緩衝機能付き包装用箱において、
前記箱本体は、展開した状態において、
前記箱本体の正面を形成する正面板部と、
前記正面板部の左右側方に連続して設けられ、前記箱本体の左右側面を形成する一対の左右側面板部と、
前記左側面板部の左側方に連続して設けられ、前記箱本体の背面を形成する背面板部と、
前記正面板部又は前記背面板部の上側方に連続して設けられ、前記箱本体の蓋を形成する蓋板部と、
前記正面板部の下側方に連続して設けられ、前記箱本体の前側底面を形成する前側底板部と、
前記背面板部の下側方に連続して設けられ、前記箱本体の後側底面を形成する後側底板部と、
前記左側面板部の上側方に連続して設けられ、前記箱本体の左側上フラップを形成する左側上フラップ部と、
前記右側面板部の上側方に連続して設けられ、前記箱本体の右側上フラップを形成する右側上フラップ部と、
前記左側面板部の下側方に連続して設けられ、前記箱本体の左側面下フラップを形成する左側下フラップ部と、
前記右側面板部の下側方に連続して設けられ、前記箱本体の右側下フラップを形成する右側下フラップ部と、
前記左側下フラップ部に設けられ、当該左側下フラップ部及び前記後側底板部を連結する左側連結タブと、
前記右側下フラップ部に設けられ、当該右側下フラップ部及び前記前側底板部を連結する右側連結タブと、
前記背面板部の左側方部分に設けられ、前記右側面板部の裏面に固定される右側面結合部と、
を備え、
前記前側底板部と前記右側下フラップ部は前記右側連結タブを介して結合されるとともに、前記後側底板部と左側下フラップ部は前記左側連結タブを介して結合され、そして、前記背面板部の左側方部分に設けられた前記右側面結合部が前記右側面板部の裏面に結合されて、
前記前側底板部は前記正面板部の裏側に重なるように折り曲げられる一方、前記右側下フラップ部は前記右側面板部の裏側に重なるように折り曲げられ、かつ前記右側面板部は折り曲げられた前記前側底板部に重なるように折り曲げられ、前記後側底板部は前記背面板部の裏側に重なるように折り曲げられる一方、前記左側下フラップ部は前記左側面板部の裏側に重なるように折り曲げられ、かつ折り曲げられた前記後側底板部は、前記背面板部とともに折り曲げられた前記左側下フラップ部に重なるように折り曲げられて、
前記箱本体は折り畳み構造体となし、
前記ホルダーは、展開した状態において、
前記前側底板部の下側方に連続して設けられ、前記前側底板部の裏側に重ねられて前側底裏板を形成する前側底裏板部と、
前記前側底裏板部の前記前側底板部側の端部に沿って横長に前記前側底板部と前記前側底裏板部との境界線を繋ぎ部分として切り起こしにより形成されて、前記箱本体の前側の中仕切りを形成する前側中仕切板部と、
前記後側底板部の下側方に連続しかつ当該後側底板部に対して折り曲げ可能に設けられ、さらに左側面板部側の側部に切り欠きが設けられて、前記箱本体の後側の中仕切りを形成する後側中仕切板部と、
前記前側中仕切板部の下側方に連続して設けられ、前記箱本体の前側の仕切りを形成する前側仕切板部と、
前記背面板部の左側方の前記右側面結合部に連続して設けられ、前記箱本体の後側の仕切りを形成する後側仕切板部と、
を備え、
前記前側仕切板部は、当該前側仕切板部の下縁近辺において横方向に延びる下部水平切込部と、前記下部水平切込部とは横方向及び縦方向にずれた位置に形成され横方向に延びる上部切込部と、前記下部水平切込部から前記上部切込部まで両者を繋ぐように斜めに延びる傾斜切込部とからなり、かつ横方向に所定の間隔をおいて形成された複数の第１の切込み線、及び前記第１の切込み線の前記下部水平切込部の端末部と、前記上部切込部の端末部と、前記傾斜切込部の中間部に対応するそれぞれの部位に縦方向に伸びる第２の切込み線を有し、また前記後側中仕切板部側の端部に前記後側中仕切板部の切り欠きに対応する延長部を有し、
前記後側仕切板部は、当該後側仕切板部の上縁近辺において横方向に延びる上部水平切込部と、前記上部水平切込部とは横方向及び縦方向にずれた位置に形成され横方向に延びる下部切込部と、前記上部水平切込部から前記下部切込部まで両者を繋ぐように斜めに延びる傾斜切込部とからなり、かつ横方向に所定の間隔をおいて形成された複数の第３の切込み線、及び前記第３の切込み線の前記上部水平切込部の端末部と、前記下部切込部の端末部と、前記傾斜切込部の中間部に対応するそれぞれの部位に縦方向に伸びる第４の切込み線を有し、
前記前側底裏板部は前記前側底板部の裏側に重なるように折り曲げられて前記前側底板部の裏面に結合され、さらに前記前側仕切板部は前記正面板部の後側に重なるように折り返され、また前記前側底裏板部との境界線近辺でかつ前記第１、第２の切込み線によって切り離されていない上部領域において前記正面板部の対接面に結合され、
前記後側仕切板部は前記背面板部の後側に重なるように折り曲げられ、また前記後側仕切板部の下縁近辺でかつ前記第３、第４の切込み線によって切り離されていない下部領域において前記背面板部裏面の対接面に結合され、
前記前側仕切板部と前記後側仕切板部は、前記前側中仕切板部と前記後側中仕切板部とを間に挟んだ状態にして、前記前側仕切板部は前記右側面板部側の端部が前記右側面板部の裏側に重ねられて前記右側面板部の裏面に結合され、前記左側面板部側の端部が前記左側面板部の裏側に重ねられて前記左側面板部の裏面に結合され、また、前記後側仕切板部は前記右側面板部側を前記右側面結合部により前記右側面板部に結合されており、前記左側面板部側の端部が前記左側面板部の裏側に重ねられ前記左側面板部の裏面に結合されて、
前記ホルダーは折り畳み構造体となし、
前記箱本体及び前記ホルダーの折り畳み構造体を左右側方から横方向中心へ向けて押圧するワンタッチ操作で、前記箱本体が箱形に組み立てられるとともに、前記箱本体の内部で前記正面板部と前記背面板部との中間部に前記前側、後側の各底板部から前記前側、後側の各中仕切板部が垂直に立ち上げられて、前記箱本体内部が２室に区切られるとともに、前記正面板部と前記前側中仕切板部との間及び前記背面板部と前記後側中仕切板部との間にそれぞれ、前記前側、後側の各仕切板部が引き起こされて、前記箱本体内部の２室にそれぞれ複数の容器収容部が区画形成され、
前記蓋に連続する面を使用上の正面とする場合は、前記蓋板部が前記正面板部の上側方に設けられ、前記蓋に連続する面に対向される面を使用上の正面とする場合は、前記蓋板部が前記背面板部の上側方に設けられる、
ことを特徴とする緩衝機能付き包装用箱。
【請求項２】
前側中仕切板部の一部に前側底板部と前側底裏板部との境界線を繋ぎ部分として切り抜き形成され、前記前側底板部の端部から突出されるロック爪と、当該ロック爪に対応して後側中仕切板部３２の一部に後側底板部と前記後側中仕切板部との境界線に沿って形成され、前記前側底板部の前記ロック爪に係合可能なロック孔とを有する請求項１に記載の緩衝機能付き包装用箱。
【発明の詳細な説明】
【技術分野】
【０００１】
本発明は、緩衝機能付き包装用箱に関し、特に、液状の栄養補助食品、健康食品、美容食品などを収納するガラス製のビンや薬剤を収納するバイアルその他のガラス製のボトルなどを包装するのに使用する緩衝機能付き包装用箱に関する。
【背景技術】
【０００２】
一般に、液状の栄養補助食品、健康食品、美容食品などを収納するガラス製のビンや液状の薬剤を収納するバイアルその他のガラス製のボトルは製造元で複数本ずつ１つの包装用箱に包装され、これがさらに数個ずつ段ボール製の大きな箱に収容されて販売先などに供給される。
従来、複数本のガラス製のビンなどを包装するのに使用する包装用箱は、天面に蓋で開閉される開口を有し、各ビンを単列又は複列に並べて収容可能な大きさの箱本体と、箱本体内に設置され、各ビンを各別に保持するための複数の仕切りを形成されたホルダーとを備えて構成され、各ビンが箱本体内でホルダーの各仕切りにより保持されて、各ビン同士が接触しても破損しないように保護されている。
【０００３】
本願出願人は、従前、この種の包装用箱を特許文献１により提案している。この包装用箱６は、図３に示すように、天面に蓋で開閉される開口を有し、ガラス製のビンやボトルなどのガラス容器を収容する箱本体６Ａと、箱本体６Ａ内に一体に形成され、各ガラス容器の周囲を保持するための仕切り６０を有するホルダー６Ｂとを備え、ガラス容器を箱本体６Ａ内でホルダー６Ｂの仕切り６０により保持して収容する緩衝機能付きの箱になっている。
【０００４】
この箱６の箱本体６Ａは、図４に示すように、展開した状態において、箱本体６Ａの正面を形成する矩形状の正面板部６１と、正面板部６１の左右側方に連続して設けられ、箱本体６Ａの左右側面を形成する一対の矩形状の左右側面板部６２、６３と、左側面板部６２に連続して設けられ、箱本体６Ａの背面を形成する矩形状の背面板部６４と、背面板部６４の上側方に連続して設けられ、箱本体６Ａの蓋を形成する蓋板部６５と、正面板部６１の下側方に連続して設けられ、箱本体６Ａの前側底板を形成する前側底板部６６と、背面板部６４の下側方に連続して設けられ、箱本体６Ａの後側底板を形成する後側底板部６７と、左側面板部６２の上側方に連続して設けられ、箱本体６Ａの左側上フラップを形成する左側上フラップ部６８と、右側面板部６３の上側方に連続して設けられ、箱本体６Ａの右側上フラップを形成する右側上フラップ部６９と、左側面板部６２の下側方に連続して設けられ、箱本体６Ａの左側下フラップを形成する左側下フラップ部７０と、右側面板部６３の下側方に連続して設けられ、箱本体６Ａの右側下フラップを形成する右側下フラップ部７１と、前側底板部６６に設けられ、この前側底板部６６及び右側下フラップ部７１を連結する右側連結タブ７２と、後側底板部６７に設けられ、この後側底板部６７及び左側下フラップ部７０を連結する左側連結タブ７３と、背面板部６４の左側方部分に設けられ、右側面板部６３の裏面に固定される右側面結合部７４とを備え、前側底板部６６は正面板部６１の裏側に重なるように折り曲げられる一方、右側下フラップ部７１は右側面板部６３の裏側に重なるように折り曲げられ、かつ右側面板部６３は折り曲げられた前側底板部６６に重なるように折り曲げられてこれら前側底板部６６と右側下フラップ部７１は右側連結タブ７２を介して結合され、後側底板部６７は背面板部６４の裏側に重なるように折り曲げられる一方、左側下フラップ部７０は左側面板部６２の裏側に重なるように折り曲げられ、かつ折り曲げられた後側底板部６７は、背面板部６４とともに折り曲げられた左側下フラップ部７６に重なるように折り曲げられてこれら後側底板部６４と左側下フラップ部７０は左側連結タブ７３を介して結合され、さらに背面板部６４の左側方部分に設けられた右側面結合部７４が右側面板部６３の裏面に結合される。このようにして箱本体６Ａは折り畳み構造体となす。
【０００５】
また、この箱６のホルダー６Ｂは、図４に示すように、展開した状態において、前側底板部６６の下側方に連続しかつ前側底板部６６に対して折り曲げ可能に設けられ、箱本体６Ａの前側の仕切り６０を形成する前側中仕切板部７５と、後側底板部６７の下側方に連続しかつ後側底板部６７に対して折り曲げ可能に設けられ、箱本体６Ａの後側の仕切り６０を形成する後側中仕切板部７６と、正面板部６１の上側方に連続して設けられ、正面板部６１の裏側に重ねられて正面裏板を形成する矩形状の正面裏板部７７と、正面裏板部７７の上側方に連続して設けられ、箱本体６Ａの前側の仕切り６０を形成する前側仕切板部７８と、背面板部６４の左側方に連続して設けられ、箱本体６Ａの後側の仕切り６０を形成する後側仕切板部７９とを備える。
この場合、前側仕切板部７８は、正面裏板部７７との境界線近辺において横方向に延びる下部水平切込部８０と、下部切込部８０とは横方向及び縦方向にずれた位置に形成され横方向に延びる上部水平切込部８１と、下部水平切込部８０から上部水平切込部８１まで両者を繋ぐように斜めに延びる傾斜切込部８２とからなり、かつ横方向に所定の間隔をおいて形成された複数の第１の切込み線８３、及び第１の切込み線８３の下部水平切込部８０の端末部と、上部水平切込部８１の端末部と、傾斜切込部８２の中間部に対応するそれぞれの部位に縦方向に伸びる第２の切込み線８４（８４ａ−８４ｇ）を有する。
後側仕切板部７９は、後側仕切板部７９の下縁近辺において横方向に延びる下部水平切込部８５と、下部水平切込部８５とは横方向及び縦方向にずれた位置に形成され横方向に延びる上部水平切込部８６と、下部水平切込部８５から上部水平切込部８６まで両者を繋ぐように斜めに延びる傾斜切込部８７とからなり、かつ横方向に所定の間隔をおいて形成された複数の第３の切込み線８８、及び第３の切込み線８８の下部水平切込部８５の端末部と、上部水平切込部８６の端末部と、傾斜切込部８７の中間部に対応するそれぞれの部位に縦方向に伸びる第４の切込み線８９（８９ａ−８９ｇ）を有し、また背面板部６４に隣接した部分に右側面板部６３の裏面に固定される右側面結合部７４を有する。
そして、正面裏板部７７は正面板部６１の裏側に重なるように折り曲げられて正面板部６１の後面に結合され、さらに前側仕切板部７８は正面裏板部７７の後側に重なるように折り返され、また正面裏板部７７との境界線近辺でかつ第１、第２の切込み線８３、８４によって切り離されていない下部領域において正面裏板部７７の対接面に結合され、後側仕切板部７９は背面板部６４の後側に重なるように折り曲げられ、また後側仕切板部７９の下縁近辺でかつ第３、第４の切込み線８８、８９によって切り離されていない下部領域において背面板部６４裏面の対接面に結合され、前側仕切板部７８と後側仕切板部７９は、前側中仕切板部７５と後側中仕切板部７６とを間に挟んだ状態で上部領域における対接面が結合され、後側仕切板部７９に設けられた右側面結合部７４が右側面板部６３の裏面に結合される。このようにしてホルダー６Ｂは折り畳み構造体となす。
【０００６】
包装用箱６はかかる構成を備え、箱本体６Ａ及びホルダー６Ｂの折り畳み構造体を左右側方から横方向中心へ向かって押圧するワンタッチ操作で、箱本体６Ａが箱形に組み立てられるとともに、箱本体６Ａの内部で正面板部６１と背面板部６４との中間部に前側、後側の各底板部６６、６７から前側、後側の各中仕切板部７５、７６が垂直に立ち上げられて、箱本体６Ａ内部が２室に区切られるとともに、正面板部６１と前側中仕切板部７５との間及び背面板部６４と後側中仕切板部７６との間にそれぞれ、前側、後側の各仕切板部７８、７９が引き起こされて、箱本体６Ａ内部の２室にそれぞれ複数の容器収容部が区画形成される。
このようにこの包装用箱６では、箱本体６Ａ及びホルダー６Ｂをそれぞれ折り畳み構造体としたので、この折り畳み構造体を左右側方から横方向中心へ向かって押圧するワンタッチ操作で、ホルダー６Ｂを含む箱全体を簡易に組み立てることができる。そして、箱本体６Ａ内部の各容器収容部にガラス容器を個別に収容し、各ガラス容器を相互の接触によって破損しないように保護することができる。
【先行技術文献】
【特許文献】
【０００７】
【特許文献１】特開２０１１−１２６５５５公報
【発明の概要】
【発明が解決しようとする課題】
【０００８】
ところで、この種の包装用箱は一般に蓋に連続する面（の外面）又は蓋に連続する面に対向配置される面（の外面）のいずれか一方を箱の使用上の正面（化粧面）として、正面用のデザインが施される。例えば、化粧品メーカーから供給される液状の栄養補助食品、健康食品、美容食品などを包装する箱の場合、蓋に連続する面を使用上の正面としてデザイン化することが好まれ、製薬メーカーから供給される薬剤を収納するバイアルなどを包装する箱の場合、蓋に連続する面に対向配置される面を使用上の正面としてデザイン化することが一般的である。このため、蓋に連続する面を使用上の正面とする場合は、箱本体の貼り合わせ位置が使用上の正面に現れないように、蓋に連続する面に対向配置される面の側にあることが求められ、反対に、蓋に連続する面に対向配置される面を使用上の正面とする場合は、箱本体の貼り合わせ位置が正面に現れないように、蓋に連続する面の側にあることが求められる。
しかしながら、上記従来（特許文献１）の包装用箱の場合、箱の折り畳み構造上、箱本体の貼り合わせ位置が蓋に連続する面の側となり、蓋に連続する面を使用上の正面とするという要望に対応することができない。この場合、蓋を背面板部から正面板部に変更するだけで対応できればよいが、この箱は仕切り一体型のワンタッチ組み立て式ケースで、機械貼りを考慮されて設計されているため、蓋を背面板部から正面板部に変更すると、折り畳み構造体同士が干渉し合ってワンタッチ組み立てができなくなるため、箱本体の貼り合わせ位置を変更することは極めて難しい。
【０００９】
本発明は、このような従来の問題を解決するもので、この種の緩衝機能付き包装用箱において、箱本体とホルダーが一体型に形成され、ワンタッチで組み立てできる構造でありながら、蓋に連続する面又は蓋に連続する面に対向配置される面のいずれの面を使用上の正面とする場合でも、使用上の正面に箱本体の貼り合わせ位置が現れないようにすること、を目的とする。
【課題を解決するための手段】
【００１０】
上記目的を達成するために、本発明の緩衝機能付き包装用箱は、
天面に蓋（１０）で開閉される開口を有し、ガラス製のビンやボトルを含む容器を収容する箱本体（１）と、箱本体（１）内に一体に形成され、各容器の周囲を保持するための仕切り（２０）を有するホルダー（２）とを備え、容器を箱本体（１）内でホルダー（２）の仕切り（２０）により保持して収容する緩衝機能付き包装用箱において、
（イ）箱本体（１）は、展開した状態において、
箱本体（１）の正面を形成する正面板部（１１）と、
正面板部（１１）の左右側方に連続して設けられ、箱本体（１）の左右側面を形成する一対の左右側面板部（１２，１３）と、
左側面板部（１２）の左側方に連続して設けられ、箱本体（１）の背面を形成する背面板部（１４）と、
正面板部（１１）又は背面板部（１４）の上側方に連続して設けられ、箱本体（１）の蓋を形成する蓋板部（１５）と、
正面板部（１１）の下側方に連続して設けられ、箱本体（１）の前側底面を形成する前側底板部（１６）と、
背面板部（１４）の下側方に連続して設けられ、箱本体（１）の後側底面を形成する後側底板部（１７）と、
左側面板部（１２）の上側方に連続して設けられ、箱本体（１）の左側上フラップを形成する左側上フラップ部（１８）と、
右側面板部（１３）の上側方に連続して設けられ、箱本体（１）の右側上フラップを形成する右側上フラップ部（１９）と、
左側面板部（１２）の下側方に連続して設けられ、箱本体（１）の左側下フラップを形成する左側下フラップ部（２０）と、
右側面板部（１３）の下側方に連続して設けられ、箱本体（１）の右側下フラップを形成する右側下フラップ部（２１）と、
左側下フラップ部（２０）に設けられ、当該左側下フラップ部（２０）及び後側底板部（１７）を連結する左側連結タブ（２２）と、
右側下フラップ部（２１）に設けられ、当該右側下フラップ部（２１）及び前側底板部（１６）を連結する右側連結タブ（２３）と、
背面板部（１４）の左側方部分に設けられ、右側面板部（１３）の裏面に固定される右側面結合部（２４）と、
を備え、
前側底板部（１６）と右側下フラップ部（２１）は右側連結タブ（２３）を介して結合されるとともに、後側底板部（１７）と左側下フラップ部（２０）は左側連結タブ（２２）を介して結合され、そして、背面板部（１４）の左側方部分に設けられた右側面結合部（２４）が右側面板部（１３）の裏面に結合されて、
前側底板部（１６）は正面板部（１１）の裏側に重なるように折り曲げられる一方、右側下フラップ部（２１）は右側面板部（１３）の裏側に重なるように折り曲げられ、かつ右側面板部（１３）は折り曲げられた前側底板部（１６）に重なるように折り曲げられ、後側底板部（１７）は背面板部（１４）の裏側に重なるように折り曲げられる一方、左側下フラップ部（２０）は左側面板部（１２）の裏側に重なるように折り曲げられ、かつ折り曲げられた後側底板部（１７）は、背面板部（１４）とともに折り曲げられた左側下フラップ部（２０）に重なるように折り曲げられて、
箱本体（１）は折り畳み構造体となし、
（ロ）ホルダー（２）は、展開した状態において、
前側底板部（１６）の下側方に連続して設けられ、前側底板部（１６）の裏側に重ねられて前側底裏板を形成する前側底裏板部（２５）と、
前側底裏板部（２５）の前側底板部（１６）側の端部に沿って横長に前側底板部（１６）と前側底裏板部（２５）との境界線を繋ぎ部分として切り起こしにより形成されて、箱本体（１）の前側の中仕切りを形成する前側中仕切板部（２６）と、
後側底板部（１７）の下側方に連続しかつ当該後側底板部（１７）に対して折り曲げ可能に設けられ、さらに左側面板部（１２）側の側部に切り欠き（２７）が設けられて、箱本体（１）の後側の中仕切りを形成する後側中仕切板部（２８）と、
前側中仕切板部（２６）の下側方に連続して設けられ、箱本体（１）の前側の仕切りを形成する前側仕切板部（２９）と、
背面板部（１４）の左側方の右側面結合部（２４）に連続して設けられ、箱本体（１）の後側の仕切りを形成する後側仕切板部（３０）と、
を備え、
前側仕切板部（２９）は、当該前側仕切板部（２９）の下縁近辺において横方向に延びる下部水平切込部（３１）と、下部水平切込部（３１）とは横方向及び縦方向にずれた位置に形成され横方向に延びる上部切込部（３２）と、下部水平切込部（３１）から上部切込部（３２）まで両者を繋ぐように斜めに延びる傾斜切込部（３３）とからなり、かつ横方向に所定の間隔をおいて形成された複数の第１の切込み線（３４）、及び第１の切込み線（３４）の下部水平切込部（３１）の端末部と、上部切込部（３２）の端末部と、傾斜切込部（３３）の中間部に対応するそれぞれの部位に縦方向に伸びる第２の切込み線（３５）を有し、また後側中仕切板部（２８）側の端部に後側中仕切板部（２８）の切り欠き（２７）に対応する延長部（３６）を有し、
後側仕切板部（３０）は、当該後側仕切板部（３０）の上縁近辺において横方向に延びる上部水平切込部（３７）と、上部水平切込部（３７）とは横方向及び縦方向にずれた位置に形成され横方向に延びる下部切込部（３８）と、上部水平切込部（３７）から下部切込部（３８）まで両者を繋ぐように斜めに延びる傾斜切込部（３９）とからなり、かつ横方向に所定の間隔をおいて形成された複数の第３の切込み線（４０）、及び第３の切込み線（４０）の上部水平切込部（３７）の端末部と、下部切込部（３８）の端末部と、傾斜切込部（３９）の中間部に対応するそれぞれの部位に縦方向に伸びる第４の切込み線（４１）を有し、
前側底裏板部（２５）は前側底板部（１６）の裏側に重なるように折り曲げられて前側底板部（１６）の裏面に結合され、さらに前側仕切板部（２９）は正面板部（１１）の後側に重なるように折り返され、また前側底裏板部（２５）との境界線近辺でかつ第１、第２の切込み線（３４，３５）によって切り離されていない上部領域（２９１）において正面板部（１１）の対接面に結合され、
後側仕切板部（３０）は背面板部（１４）の後側に重なるように折り曲げられ、また後側仕切板部（３０）の下縁近辺でかつ第３、第４の切込み線（４０，４１）によって切り離されていない下部領域（３０１）において背面板部（１４）裏面の対接面に結合され、
前側仕切板部（２９）と後側仕切板部（３０）は、前側中仕切板部（２６）と後側中仕切板部（２８）とを間に挟んだ状態にして、前側仕切板部（２９）は右側面板部（１３）側の端部が右側面板部（１３）の裏側に重ねられて右側面板部（１３）の裏面に結合され、左側面板部（１２）側の端部が左側面板部（１２）の裏側に重ねられて左側面板部（１２）の裏面に結合され、また、後側仕切板部（３０）は右側面板部（１３）側を右側面結合部（２４）により右側面板部（１３）に結合されており、左側面板部（１２）側の端部が左側面板部（１２）の裏側に重ねられ左側面板部（１２）の裏面に結合されて、
ホルダー（２）は折り畳み構造体となし、
（ハ）箱本体（１）及びホルダー（２）の折り畳み構造体を左右側方から横方向中心へ向けて押圧するワンタッチ操作で、箱本体（１）が箱形に組み立てられるとともに、箱本体（１）の内部で正面板部（１１）と背面板部（１４）との中間部に前側、後側の各底板部（１６，１７）から前側、後側の各中仕切板部（２６，２８）が垂直に立ち上げられて、箱本体（１）内部が２室に区切られるとともに、正面板部（１１）と前側中仕切板部（２６）との間及び背面板部（１４）と後側中仕切板部（２８）との間にそれぞれ、前側、後側の各仕切板部（２９、３０）が引き起こされて、箱本体（１）内部の２室にそれぞれ複数の容器収容部が区画形成され、
（ニ）蓋（１０）に連続する面を使用上の正面とする場合は、蓋板部（１５）が正面板部（１１）の上側方に設けられ、蓋（１０）に連続する面に対向される面を使用上の正面とする場合は、蓋板部（１５）が背面板部（１４）の上側方に設けられる、
ことを要旨とする。
また、この包装用箱（Ｂ）は、
（ホ）前側中仕切板部（２６）の一部に前側底板部（１６）と前側底裏板部（２５）との境界線を繋ぎ部分として切り抜き形成され、前側底板部（１６）の端部から突出されるロック爪（４４）と、当該ロック爪（４４）に対応して後側中仕切板部（２８）の一部に後側底板部（１７）と後側中仕切板部（２８）との境界線に沿って形成され、前側底板部（１６）のロック爪（４４）に係合可能なロック穴（４５）とを有する、
ことが好ましい。
【発明の効果】
【００１１】
本発明の緩衝機能付き包装用箱（Ｂ）は、上記（イ）−（ニ）の構成により、箱本体（１）を折り畳み構造体とし、ホルダー（２）を折り畳み構造体とし、箱本体（１）及びホルダー（２）の折り畳み構造体を左右側方から横方向中心へ向けて押圧するワンタッチ操作により、箱本体（１）を箱形に組み立てるとともに、箱本体（１）の内部で正面板部（１１）と背面板部（１４）との中間部に前側、後側の各底板部（１６，１７）から前側、後側の各中仕切板部（２６，２８）を垂直に立ち上げて、箱本体（１）内部を２室に区切るとともに、正面板部（１１）と前側中仕切板部（２６）との間及び背面板部（１４）と後側中仕切板部（２８）との間にそれぞれ、前側、後側の各仕切板部（２９、３０）を引き起こして、箱本体（１）内部の２室にそれぞれ複数の容器収容部を区画形成するようにして、蓋（１０）に連続する面を使用上の正面とする場合は、蓋板部（１５）を正面板部（１１）の上側方に設け、蓋（１０）に連続する面に対向される面を使用上の正面とする場合は、蓋板部（１５）を背面板部（１４）の上側方に設けるようにしたので、箱本体（１）とホルダー（２）が一体型に形成され、ワンタッチで組み立てできる構造でありながら、蓋（蓋板部１５）に連続する面又は蓋（蓋板部１５）に連続する面に対向配置される面のいずれの面を使用上の正面（化粧面）とする場合でも、箱本体（１）の正面に箱本体（１）の貼り合わせ位置を現れないようにすることができる、という本発明独自の格別な効果を奏する。
【図面の簡単な説明】
【００１２】
【図１】本発明の一実施の形態における緩衝機能付き包装用箱の構成を箱本体の背面を破断して示す背面側から見た斜視図
【図２】同包装用箱を構成する紙基材の展開図
【図３】従来の緩衝機能付き包装用箱の構成を示す斜視図
【図４】同包装用箱を構成する紙基材の展開図
【発明を実施するための形態】
【００１３】
次に、この発明を実施するための形態について図を用いて説明する。図１及び図２に緩衝機能付き包装用箱（以下、単に包装用箱Ｂ又は箱Ｂという。）を示している。なお、ここで包装用箱Ｂは液状の栄養補助食品、健康食品、美容食品などを包装する箱として例示してある。
【００１４】
図１は包装用箱の背面側から見た構成を背面を破断して示している。
図１に示すように、包装用箱Ｂは、ボール紙、クラフト紙のような比較的厚さがあり直立性のある紙材により形成され、天面に蓋１０で開閉される開口を有し、複数のガラス製のビンやボトルなどのガラス容器を複数本単位（この場合、１０本単位）で収容する箱本体１と、箱本体１内に一体に形成され、各ガラス容器を各別に縦置きに保持可能な複数本（この場合、１０本）分の仕切り２０を有するホルダー２とを備え、複数のガラス容器を箱本体１内でホルダー２の各仕切り２０により保持して収容するようになっている。
【００１５】
この包装用箱Ｂは、図２に示すように、一枚のブランクシートから一体的に打ち抜かれて形成される一枚の紙基材Ｐからなり、この紙基材Ｐは箱本体１をなす箱形成形状部Ｐ１とホルダー２をなすホルダー形成形状部Ｐ２とを備える。
【００１６】
箱形成形状部Ｐ１は、展開した状態において、箱本体１の正面を形成する正面板部１１と、正面板部１１の左右側方に連続して設けられ、箱本体１の左右側面を形成する一対の左右側面板部１２、１３と、左側面板部１２に連続して設けられ、箱本体１の背面を形成する背面板部１４と、正面板部１１又は背面板部１４の上側方に連続して設けられ、箱本体１の蓋を形成する蓋板部１５と、正面板部１１の下側方に連続して設けられ、箱本体１の前側の底板を形成する前側底板部１６と、背面板部１４の下側方に連続して設けられ、箱本体１の後側の底板を形成する後側底板部１７と、左側面板部１２の上側方に連続して設けられ、箱本体１の左側上フラップを形成する左側上フラップ部１８と、右側面板部１３の上側方に連続して設けられ、箱本体１の右側上フラップを形成する右側上フラップ部１９と、左側面板部１２の下側方に連続して設けられ、箱本体１の左側下フラップを形成する左側下フラップ部２０と、右側面板部１３の下側方に連続して設けられ、箱本体１の右側下フラップを形成する右側下フラップ部２１と、左側下フラップ部２０に設けられ、この左側下フラップ部２０及び後側底板部１７を連結するための左側連結タブ２２と、右側下フラップ部２１に設けられ、この右側下フラップ部２１及び前側底板部１６を連結する右側連結タブ２３と、背面板部１４の左側方部分に設けられ、右側面板部１３の裏面に固定される右側面結合部２４とを備える。
【００１７】
この場合、正面板部１１は、横長の矩形状に形成される。左側面板部１２は正面板部１１と同じ高さ寸法を有する縦長の矩形状に形成される。正面板部１１と左側面板部１２は境界線Ｌ１の部分で折り曲げ可能である。右側面板部１３は左側面板部１２と同じ大きさ、形状に形成される。正面板部１１と右側面板部１３は境界線Ｌ２の部分で折り曲げ可能である。背面板部１４は正面板部１１と同じ大きさ、形状に形成される。背面板部１４と左側面板部１２は境界線Ｌ３の部分で折り曲げ可能である。また、背面板部１４の左側の部分には右側面結合部２４が設けられる。この右側面結合部２４は背面板部１４に対して境界線Ｌ４の部分で折り曲げ可能であり、各板部１１，１２，１３，１４が各境界線Ｌ１、Ｌ２、Ｌ３、Ｌ４で折り曲げられたときに右側面板部１３の裏面に当接し、この当接部分に固定される。
【００１８】
蓋板部１５は、この場合、正面板部１１の上側方に連続して設けられ、箱本体１の天面開口を閉塞可能に、横方向が正面板部１１の横寸法と同じ寸法で、縦方向が左右の各側面板部１２、１３の横寸法と略同じ寸法の横長の矩形状に形成される。蓋板部１５と正面板部１１は境界線Ｌ５の部分で折り曲げ可能である。また、蓋板部１５の上側部分にはこの蓋板部１５を正面板部１１の裏面上部に固定するための差し込み片１５１が設けられる。
前側底板部１６は箱本体１の底面の前側半面をなし、下方へ向けて少し幅狭になった台形形状に形成される。正面板部１１と前側底板部１６は境界線Ｌ６の部分で折り曲げ可能である。
後側底板部１７は箱本体１の底面の後側半面をなし、下方へ向けて少し幅狭になった台形形状に形成される。背面板部１４と後側底板部１７は境界線Ｌ７の部分で折り曲げ可能である。
【００１９】
左側上フラップ部１８は箱本体１の天面開口の左側の一部を閉塞可能に、上方へ向けて少し幅狭になった台形形状に形成される。左側上フラップ部１８と左側面板部１２は境界線Ｌ８の部分で折り曲げ可能である。
右側上フラップ部１９は箱本体１の天面開口の右側の一部を閉塞可能に、上方へ向けて少し幅狭になった台形形状に形成される。右側上フラップ部１９と右側面板部１３は境界線Ｌ９の部分で折り曲げ可能である。
左側下フラップ部２０は箱本体１の底面開口の左側の一部を閉塞可能に、下方へ向けて幅狭の略三角形形状に形成される。左側下フラップ部２０と左側面板部１２は境界線Ｌ１０の部分で折り曲げ可能である。また、この左側下フラップ部２０には左側の斜めの縁部に左側連結タブ２２が略台形状に設けられる。
右側下フラップ部２１は箱本体１の底面開口の右側の一部を閉塞可能に、下方へ向けて幅狭の略三角形形状に形成される。右側下フラップ部２１と右側面板部１３は境界線Ｌ１１の部分で折り曲げ可能である。また、この右側下フラップ部２１には左側の斜めの縁部に右側連結タブ２３が略台形状に設けられる。
なお、左側連結タブ２２は後側底板部１７に結合された状態で境界線Ｌ１２（左側の斜めの縁部）の部分で折り曲げ可能であり、また、右側連結タブ２３は前側底板部１６に結合された状態で境界線Ｌ１３（左側の斜めの縁部）の部分で折り曲げ可能である。
【００２０】
箱形成形状部Ｐ１はこのようにして構成され、前側底板部１６と右側下フラップ部２１が右側連結タブ２３を介して結合されるとともに、後側底板部１７と左側下フラップ部２０が左側連結タブ２２を介して結合され、そして、背面板部１４の左側方部分に設けられた右側面結合部２４が右側面板部１３の裏面に結合されて、前側底板部１６が正面板部１１の裏側に重なるように折り曲げられる一方、右側下フラップ部２１は右側面板部１３の裏側に重なるように折り曲げられ、かつこの右側面板部１３は折り曲げられた前側底板部１６に重なるように折り曲げられ、後側底板部１７は背面板部１４の裏側に重なるように折り曲げられる一方、左側下フラップ部２０は左側面板部１２の裏側に重なるように折り曲げられ、かつ折り曲げられた後側底板部１７は背面板部１４とともに折り曲げられた左側下フラップ部２０に重なるように折り曲げられて、箱形成形状部Ｐ１は折り畳み構造体となす。
【００２１】
ホルダー形成形状部Ｐ２は、展開した状態において、前側底板部１６の下側方に連続して設けられ、前側底板部１６の裏側に重ねられて前側底板の裏板を形成する前側底裏板部２５と、前側底裏板部２５の前側底板部１６側の端部に沿って横長に前側底板部１６と前側底裏板部２５との境界線Ｌ１４を繋ぎ部分として切り起こしにより形成され、箱本体１の前側の中仕切りをなす前側中仕切板部２６と、後側底板部１７の下側方に連続しかつ後側底板部１７に対して折り曲げ可能に設けられ、さらに左側面板部１３側の側部に切り欠き２７が設けられて、箱本体１の後側の中仕切りをなす後側中仕切板部２８と、前側中仕切板部２６の下側方に連続して設けられ、箱本体１の前側の仕切り２０を形成するための前側仕切板部２９と、背面板部１４の左側方の右側面結合部２４に連続して設けられ、箱本体１の後側の仕切り２０を形成するための後側仕切板部３０とを備える。
【００２２】
前側底裏板部２５は横方向が前側底板部１６の横方向の寸法よりも少し小さく縦方向が前側底板部１６の縦方向の寸法と略同じ全体が矩形状に形成される。前側底裏板部２５と前側底板部１６は境界線Ｌ１４の部分で折り曲げ可能である。この前側底裏板部２５の主たる役割は前側仕切板部２９を支持することにある。
前側中仕切板部２６は前側底裏板部２５の前側底板部１６側の端部に沿って、前側底板部１６と前側底裏板部２５との境界線Ｌ１４を繋ぎ部分として横長の略長方形に切り起こし形成される。また、この前側中仕切板部２６には横方向中央よりも少し後側底板部１７側に、前側底板部１６と前側底裏板部２５との境界線Ｌ１４を繋ぎ部分としてロック爪４４が切り抜き形成され、前側底板部１６の端部から突出可能に設けられる。
前側仕切板部２９は、横方向が正面板部１１の横方向寸法よりも少し大きく縦方向が正面板部１１の縦寸法よりも少し小さい略矩形状に形成され、右側縁部の中央及び上縁部の中央よりも少し左側に略Ｖ字形の切り欠き２９４、２９５が形成され、矩形状の面内に第１、第２の切込み線３４、３５が形成されてなる。第１の切込み線３４は、前側仕切板部２９の下縁近辺において横方向に延びる下部水平切込部３１と、下部切込部３１とは横方向及び縦方向にずれた位置に形成され横方向に延びる上部切込部３２と、下部水平切込部３１から上部切込部３２まで両者を繋ぐように略斜めに延びる傾斜切込部３３とからなり、これが横方向に所定の間隔をおいて複数形成される。この第１の切込み線３４は前側仕切板部２９を構成する板材を表側から裏側へ突き抜けて形成された抜き穴である。この実施の形態では、第１の切込み線３４が合計で３本形成される。第２の切込み線３５は各第１の切込み線３４の下部水平切込部３１の端末部と、上部切込部３２の端末部と、傾斜切込部３３の中間部に対応するそれぞれの部位に縦方向に伸びる切込みになっている。これらの第２の切込み線３５もまた抜き穴からできている。第１の切込み線３４と第２の切込み線３５は、互いに交わらないように両切込み線３４、３５の交差点手前で終端となっており、間にごく小さな陸部である極小陸部２９６が複数個所に形成される。第２の切込み線３５は包装用箱Ｂが立体的に組み立てられるときの折れ線に沿っており、その末端近辺に設けられた極小陸部２９６は、包装用箱Ｂを折り畳み状態から立体状態に組み立てるときの折り曲げ部となる。また、この前側仕切板部２９の後側中仕切板部２８側の端部は後側中仕切板部２８の切り欠き２７に対応する延長部３６をなす。
後側中仕切板部２８は、横方向が後側底板部１７の横方向の寸法よりも少し小さく縦方向が後側底板部１７の縦方向の寸法よりも大きい全体が略矩形状に形成され、左側面板部１２側の側部が略逆Ｌ字形に切り欠かれて、切り欠き２７が設けられる。後側中仕切板部２８と後側底板部１７は境界線Ｌ１５の部分で折り曲げ可能である。
後側仕切板部３０は、横方向が背面板部１４の横方向寸法よりも少し大きく縦方向が背面板部１４の縦寸法よりも少し小さい略矩形状に形成され、左側縁部の略中央及び下縁部の右端部側に略Ｖ字形の切り欠き３０４、３０５が形成され、矩形状の面内に第３、第４の切込み線４０、４１が形成されてなる。第３の切込み線４０は後側仕切板部３０の上縁近辺において横方向に延びる上部水平切込部３７と、上部水平切込部３７とは横方向及び縦方向にずれた位置に形成され横方向に延びる下部切込部３８と、上部水平切込部３７から下部切込部３８まで両者を繋ぐように斜めに延びる傾斜切込部３９とからなり、これが横方向に所定の間隔をおいて複数形成される。第３の切込み線４０もまた抜き穴である。この実施の形態では、第３の切込み線４０は合計で３本形成される。第４の切込み線４１は各第３の切込み線４０の上部水平切込部３７の端末部と、下部切込部３８の端末部と、傾斜切込部３９の中間部に対応するそれぞれの部位に縦方向に伸びる切込みになっている。これらの第４の切込み線４１もまた抜き穴からできている。第３の切込み線４０と第４の切込み線４１は、互いに交わらないように両切込み線４０、４１の交差点手前で終端となっており、間に極小陸部３０６が複数個所に形成される。第４の切込み線４１は包装用箱Ｂが立体的に組み立てられるときの折れ線に沿っており、その末端近辺に設けられたこれらの極小陸部３０６もまた、包装用箱Ｂを折り畳み状態から立体状態に組み立てるときの折り曲げ部となる。
ホルダー形成形状部Ｐ２はこのようにして構成され、前側底裏板部２５が前側底板部１６の裏側に重なるように折り曲げられて前側底板部１６の後面に結合され、さらに前側仕切板部２９は正面板部１１の後側に重なるように折り返され、また前側底裏板部２５との境界線近辺でかつ第１、第２の切込み線３４、３５によって切り離されていない上部領域２９１において正面板部１１の対接面に結合され、後側仕切板部３０が背面板部１４の後側に重なるように折り曲げられ、また後側仕切板部３０の下縁近辺でかつ第３、第４の切込み線４０、４１によって切り離されていない下部領域３０１において背面板部１４裏面の対接面に結合され、前側仕切板部２９と後側仕切板部３０は、前側中仕切板部２６と後側中仕切板部２８とを間に挟んだ状態にして、前側仕切板部２９は右側面板部１３側の端部が右側面板部１３の裏側に重ねられて右側面板部１３の裏面に結合され、左側面板部１２側の端部が左側面板部１２の裏側に重ねられて左側面板部１２の裏面に結合され、また、後側仕切板部３０は右側面板部１３側が右側面結合部２４により右側面板部１３に結合されており、左側面板部１２側の端部が左側面板部１２の裏側に重ねられ左側面板部１２の裏面に結合されて、ホルダー（２）は折り畳み構造体となす。
【００２３】
この包装用箱Ｂをワンタッチで組み立て可能な折り畳み状態とするための各部の折り曲げ状態及び接着部についてさらに詳しく説明する。
なお、以下の説明では、図２に表れている面を表面とする。したがって、折り曲げ操作は、基本的には表面が常に外側に来るように、図１の紙面に対して裏側方向へ折り曲げる（これを「外折り」と称する）ものとし、反対方向に折る場合は「内折り」または「逆折り」という。
【００２４】
展開状態の箱本体形状部Ｐ１をワンタッチで組み立て可能な折り畳み状態とするには、前側底板部１６が境界線Ｌ６において正面板部１１の裏側に重なるように折り曲げられる。このとき右側連結タブ２３は境界線Ｌ１３において内折りされる。また、右側下フラップ部２１は境界線Ｌ１１において右側面板部１３の裏側に重なるように折り曲げられる。右側面板部１３は境界線Ｌ２において正面板部１１の裏面方向に、且つ、折り曲げられた前側底板部１６の上に重なるように折り曲げられる。これにより、前側底板部１６と右側下フラップ部２１は右側連結タブ２３を挟んで対面するから、この右側連結タブ２３と前側底板部１６の右端部が結合される。この結合はのり付けその他の接着手段により行われる。
【００２５】
後側底板部１７は境界線Ｌ７において背面板部１４の裏側に重なるように折り曲げられる。また、左側連結タブ２２が境界線Ｌ１２において内折りされ、左側下フラップ部２０が境界線Ｌ１０において左側面板部１２の裏側に重なるように折り曲げられる。この左側面板部１２は境界線Ｌ３において背面板部１４の裏面方向に、且つ、折り曲げられた後側底板部１７の上に重なるように折り曲げられる。これにより、後側底板部１７と左側下フラップ部２０は左側連結タブ２２を挟んで対面するから、この左側連結タブ２２と後側底板部１７の左端部が結合される。この結合はのり付けその他の接着手段により行われる。この段階までで、正面板部１１、左側面板部１２、右側面板部１３、背面板部１４（これらの板部により箱本体１の４側面が構成される）の間では境界線Ｌ３、Ｌ２のみで折り曲げられているから、全体としてはボックス構造ではなく、重ね合わせ構造となっている。また、上述のように左側面板部１２は境界線Ｌ３において背面板部１４の裏面方向に折り曲げられることにより、背面板部１４の左側方部分に設けられた右側面結合部２４は右側面板部１２の裏面に対面し、この部分で結合される。ここが箱本体１の貼り合わせ位置となる。この結合はのり付けその他の接着手段により行われる。これにより包装用箱Ｂは箱本体１が折り畳み構造体として完成する。
【００２６】
展開状態のホルダー形状部Ｐ２をワンタッチで組み立て可能な折り畳み状態とするには、前側底裏板部２５が前側底板部１６の裏側に重なるように折り曲げられてこの前側底板部１６の裏面に結合される。この結合はのり付けその他の接着手段により行われる。また、このとき、前側中仕切板部２６は境界線Ｌ４において前側底裏板部２５に対して垂直に立ち上げられ、ロック爪４４は前側底板部１６の端部から水平方向に突出される。さらに前側仕切板部２９は正面板部１１の裏側に重なるように折り返され（内折り）、また前側底裏板部２５との境界線Ｌ１６近辺で且つ第１及び第２の切込み線３４，３５によって切り離されていない領域（ここを「下部領域２９１」とする）において正面板部１１の対接面に結合される。この結合はのり付けその他の接着手段により行われる。
【００２７】
後側仕切板部３０は境界線Ｌ１７において背面板部１４の裏側に重なるように折り曲げられ、またこの後側仕切板部３０の下縁近辺で且つ第３及び第４の切込み線４０、４１によって切り離されていない領域（ここを「下部領域３０１」とする）において背面板部１４の裏側の対接面に結合される。この結合はのり付けその他の接着手段により行われる。また、このとき、後側中仕切板部２８は境界線Ｌ１５において後側底板部１７に対して垂直に立ち上げられる。そして、上述のように後側仕切板部３０を背面板部１４の裏側に重ならせた状態で背面板部１４を境界線Ｌ３で折り曲げると、前側仕切板部２９と後側仕切板部３０は、間に前側中仕切板部２６と後側中仕切板部２８を介在させた状態で前後位置関係にほぼ整合した状態（つまり、相互に重なり合う状態）になる。
【００２８】
この整合状態にある前側仕切板部２９は右側面板部１３側の端部（結合部２９２）が右側面板部１３の裏側に重なり、この右側面板部１３の裏面（幅方向中央から前側）に結合され、左側面板部１２側の端部（結合部２９３）が左側面板部１２の裏側に重なり、この左側面板部１２の裏面（幅方向中央から後側）に結合される。これらの結合はのり付けその他の接着手段により行われる。また、後側仕切板部３０は右側面板部１３側が既に右側面結合部２４により右側面板部１３に結合されており（上述したように、後側仕切板部３０を背面板部１４の裏側に重ならせた状態で背面板部１４を境界線Ｌ３で折り曲げたときに、後側仕切板部３０と背面板部１４との間に設けられた右側面結合部２４は右側面板部１３の裏面に対面し、この右側面結合部２４と右側面板部１３が結合される。）、また、左側面板部１２側の端部（結合部３０２）が左側面板部１２の裏側で前側仕切板部２９の左側面板部１２側の端部（結合部２９３）の上に重ねられ、この左側面板部１２の端部（結合部２９３）上に結合される。
【００２９】
前側仕切板部２９及び後側仕切板部３０はその両端部又は一端部の結合部以外の部分では結合されておらず、長手方向中間部分には隙間が形成される。その隙間内に前側中仕切板部２６と後側中仕切板部２８が介在される。
【００３０】
これにより、前側仕切板部２９と後側仕切板部３０は相互に重なり合い、左右の端部が左右の各側面板部１２、１３に結合された構成となる。また、この場合、右側面結合部２４の幅寸法は右側面板部１３の幅寸法のおおよそ半分になっていて、前側仕切板部２９と後側仕切板部３０は右側面板部１３の幅寸法のおおよそ半分の位置、すなわち、包装用箱Ｂの前後方向ほぼ中心位置に配置される。以上で包装用箱Ｂは全体が折り畳み構造体として完成する。
【００３１】
この折り畳まれた状態の包装用箱Ｂを組み立てるためには、この折り畳み構造体を左右側方から横方向中心へ向かって押圧すると、正面板部１１、左側面板部１２、右側面板部１３、背面板部１４の間では境界線Ｌ３と境界線Ｌ２の部分で折り畳み状態から起き上がり動作が行われる一方、境界線Ｌ１と境界線Ｌ４の部分では外折り方向へ折り曲げ作用が生じ、ボックス構造が形成される。このとき、箱本体１の貼り合わせ位置は右側面板部１３と背面板部１４との間で、蓋１０（蓋板部１５）に連続する面とは反対側にある。また、底板部分では、前側底板部１６と右側下フラップ部２１が結合され、また後側底板部１７と左側下フラップ部２０が結合されていることにより、それぞれにおいて折り畳み状態から起き上がり動作が行われて、各底板部１６、２１、１７、２０が下方へ引き下げられるとともに水平面状態となって正規の位置を取り、さらに、前側底板部１６の端部から突出されるロック爪４４が後側中仕切板部２８の端部のロック穴４５に係合されて、この状態がロック（保持）される。
【００３２】
また、この折り畳み構造を左右側方から横方向中心へ向かって押圧する外力をＦ１、Ｆ２とすると、Ｆ１とＦ２の大きさは
Ｆ１  ＝  Ｆ２
であり、外力が加わる方向は、Ｆ１については左から右、Ｆ２については右から左の方向である。この外力の作用により、前側仕切板部２９の正面板部１１に固定の下部領域、後側仕切板部３０の背面板部１４に固定の下部領域及び一体的に重なり合う前側仕切板部２９と後側仕切板部３０の上部領域の３つの部位の間では次の運動が生じる。すなわち、前側仕切板部２９の下部領域は外力Ｆ２と同じ右から左の方向へ相対的に移動する。他方、後側仕切板部３０の下部領域は外力Ｆ１と同じ左から右の方向へ相対的に移動する。さらに、一体的に重なり合う前側仕切板部２９と後側仕切板部３０の上部領域は左右方向へ移動しない。
【００３３】
したがって、前側仕切板部２９についてみると、その下部領域と上部領域との間で相対的な移動が起こり、下部領域が上部領域の前側へせり出すようにして中間領域にある複数の仕切り２０が起き上がる。仕切り２０の起き上がりは、第２の切込み線３５に沿って、かつ極小陸部２９６が折れ曲がりながら行われ、第２の切込み線３５ｂが第２の切込み線３５ａの前方位置に来るように移動し、以下同様に、第２の切込み線３５ｃ、３５ｄ、３５ｅがそれぞれ第２の切込み線３５ｆ、３５ｇ、３５ｈの前方位置に来るように移動する。これにより、組み立てられた包装用箱Ｂの内部には前側半分のスペースに前側仕切板部２９によって仕切り２０（４枚ある）により画成された５個の物品収容部が形成される。
【００３４】
後側仕切板部３０についても同様で、その下部領域と上部領域との間で相対的な移動が起こり、下部領域が上部領域の後側へ回り込むようにして中間領域にある複数の仕切り２０が起き上がる。仕切り２０の起き上がりは、第４の切込み線４１に沿って、且つ極小陸部３０６が折れ曲がりながら行われ、第４の切込み線４１ｂが第４の切込み線４１ａの後方位置に来るように移動し、以下同様に、第４の切込み線４１ｃ、４１ｄ、４１ｅがそれぞれ第４の切込み線４１ｆ、４１ｇ、４１ｈの後方位置に来るように移動する。これにより、組み立てられた包装用箱Ｂの内部には後側半分のスペースに後側仕切板部３０によって仕切り２０（４枚ある）により画成された５個の物品収容部が形成される。
【００３５】
また、この場合、箱本体１の組み立て動作により、底板部分では、前側底板部１６と右側下フラップ部２１が結合され、また後側底板部１７と左側下フラップ部２０が結合されていることにより、それぞれにおいて折り畳み状態から起き上がり動作が行われて、各底板部１６、２１、１７、２０が下方へ引き下げられるとともに水平面状態となって正規の位置を取り、さらに、前側底板部１６の端部から突出されるロック爪４４が後側中仕切板部２８の端部のロック穴４５に係合されて、この状態がロック（保持）される。このとき、後側中仕切板部２８は後側底板部１７に連続して設けられているからこの後側底板部１７と共に下方へ移動しつつ左から右へ移動するが、移動の最終段階では、後側底板部１７は上記組立て動作において水平面状態となるのに対して後側中仕切板部２８は前側仕切板部２９と後側仕切板部３０の間に挟まれて垂直状態を維持しようとする。そのため、後側中仕切板部２８と後側底板部１７との間では、境界線Ｌ１５の部分において折れ曲がり作用が働き、後側中仕切板部２８は包装用箱Ｂの前後方向中心部で収容空間を前後に区分けする仕切りとなる。前側中仕切板部２６についても動作が反対になるだけで同様である。但し、前側中仕切板部２６は後側中仕切板部２８よりも高さが低いので、後側中仕切板部２８が主たる仕切りとなる。またこのとき、後側中仕切板部２８の左側端部に切り欠き２７が現れるが、この切り欠き２７の箇所に対応する前側仕切板部２９の左側が延長部３６になっているので、切り欠き２７はこの延長部３６により塞がれて、これら後側中仕切板部２８と前側仕切板部２９の延長部３６により前側仕切板部２９及び後側仕切板部３０の相互に対向する面に開口された部分はすべて塞がれる。
【００３６】
このようにして包装用箱Ｂの紙基材Ｐから、図１に示すように、箱本体１が、蓋１０（蓋板部１５）に連続する面を正面とし、箱本体１の貼り合わせ位置が背面と右側面との間にある箱に組み立てられ、この箱本体１の内部に前列及び後列に長手方向に一定の間隔を開けられた仕切り２０が平行に並んで１０個の物品収容部が形成される。液状の食品を収納されたガラス容器はこの箱本体１の物品収容部に縦置きにして収容され、箱本体１の蓋（蓋板部１５）を閉めて包装される。これにより、各ガラス容器はその周面を各仕切り２０により保持されて、外部の衝撃から保護される。なお、この包装用箱Ｂは、蓋（蓋板部１５）を上方に引き上げることにより、箱本体１の天面開口が開放され、ガラス容器に入った液状の食品を１本ずつ取り出すことができる。
【００３７】
以上説明したように、この包装用箱Ｂでは、箱本体１が正面、左右両側面及び背面の４側面と、前後の底面と、蓋とを備え、前後の底面と正面及び背面がそれぞれ内側面を合せて折り畳み可能に構成され、ホルダー２が箱本体１に連接して、箱本体１の内部に折り畳み可能に構成されるので、箱本体１とホルダー２を一体型に形成し、ワンタッチで組み立てることができる。
また、ホルダー２は１０本のガラス容器を各別に収容可能な仕切り２０を備え、各ガラス容器を箱本体１内でホルダー２の仕切り２０内に入れて、各ガラス容器の周面を保持するようにしたので、箱本体１内のホルダー２の中で各ガラス容器の安定性を確保し、各ガラス容器の緩衝効果の向上を図ることができる。
さらに、この包装用箱Ｂは箱本体１がホルダー２とともに一枚のブランクシートから一体的に打ち抜かれて形成される一枚の紙基材Ｐから構成されるので、箱本体１及びホルダー２の各部の組み立て及び接着を自動貼り機を用いて自動的に行うことができる。
【００３８】
そして、この包装用箱Ｂにあっては、特に、箱本体１及びホルダー２の構成から、箱本体１とホルダー２が一体型に形成され、ワンタッチで組み立てできる構造でありながら、蓋（蓋板部１５）に連続する面又は蓋（蓋板部１５）に連続する面に対向配置される面のいずれの面を使用上の正面とする場合でも、箱本体１の使用上の正面（つまり、化粧面）に箱本体１の貼り合わせ位置が現れないようにすることができる。
すなわち、この実施の形態では、蓋（蓋板部１５）に連続する面を使用上の正面とした箱の場合を例示したが、この場合、箱本体１の貼り合わせ位置を右側面板部１３と背面板部１４との間にして、箱本体１の使用上の正面に箱本体１の貼り合わせ位置が現れないようにすることができ、箱本体１の貼り合わせ位置が現れない使用上の正面にデザインを施すことができ、かかる形式が好まれる例えば化粧品メーカーなどで用いられる液状の栄養補助食品、健康食品、美容食品などを包装する箱として提供することができる。
また、この箱Ｂの用途を変え、蓋（蓋板部１５）に連続する面に対向する面を使用上の正面とする場合は、蓋（蓋板部１５）を正面板部１１に代えて背面板部１４に連接して形成するだけで（ホルダー２の仕切り構造はまったく変えることなく）、箱本体１の貼り合わせ位置を右側面板部１２と背面板部１４との間にして、箱本体１の使用上の正面に箱本体１の貼り合わせ位置が現れないようにすることができ、箱本体１の貼り合わせ位置が現れない使用上の正面にデザインを施すことができ、かかる形式が一般的な例えば製薬メーカーで使用される薬剤を収納するバイアルなどを包装する箱として提供することができる。
【符号の説明】
【００３９】
Ｂ  緩衝機能付き包装用箱
１ 箱本体
１０  蓋
２  ホルダー
２０  仕切り
Ｐ  紙基材
Ｐ１  箱形成形状部
Ｐ２  ホルダー形成形状部
１１ 正面板部
１２ 右側面板部
１３ 左側面板部
１４ 背面板部
１５ 蓋板部
１５１  差し込み片
１６ 前側底板部
１７ 後側底板部
１８ 左側面蓋板部
１９ 右側面蓋板部
２０ 左側下フラップ部
２１ 右側下フラップ部
２２ 左側連結タブ
２３ 右側連結タブ
２４ 右側面結合部
２５  前側底裏板部
２６ 前側中仕切板部
２７  切り欠き
２８ 後側中仕切板部
２９ 前側仕切板部
２９１  上部領域
２９２  結合部
２９３  結合部
２９４  切り欠き
２９５  切り欠き
２９６  極小陸部
３０ 後側仕切板部
３０１  下部領域
３０２  結合部
３０４  切り欠き
３０５  切り欠き
３０６  極小陸部
３１ 下部水平切込部
３２ 上部切込部
３３ 傾斜切込部
３４ 第１の切込み線
３５ 第２の切込み線
３６  延長部
３７ 上部水平切込部
３８ 下部切込部
３９ 傾斜切込部
４３１、４３２ 下部領域
４０ 第３の切込み線
４１ 第４の切込み線
４２１、４２２ 上部領域
４４  ロック爪
４５  ロック穴
Ｌ１−Ｌ１６  境界線
【図１】
2015209221.tif 000003
【図２】
2015209221.tif 000004
【図３】
2015209221.tif 000005
【図４】
2015209221.tif 000006